(57)【特許請求の範囲】
【請求項１】
極低温に冷却可能なＲＦ（無線周波数）受信コイル装置（１）と、ｚ軸方向に延在してＮＭＲ測定により検査されるべき試料物質が入った試料チューブ（６）を収納する室温パイプ（４）とを備えて成るＮＭＲ（核磁気共鳴）プローブヘッドにおいて、
前記ＲＦ受信コイル装置（１）と前記室温パイプ（４）との間の真空部に、ｚ軸方向に延在し、半径方向に前記室温パイプ（４）を囲む少なくとも一つの放射シールド（９）であって、ＲＦ場に対して透過性を有するｚ軸方向に配向された１以上の材料から製造された放射シールド（９）を配置することを特徴とするＮＭＲプローブヘッド。
【請求項２】
前記材料は、ＲＦ場に対して５％未満の吸収性を示すことを特徴とする請求項１記載のＮＭＲプローブヘッド。
【請求項３】
前記材料は、ＲＦ場に対して１％未満の吸収性を少なくとも示すことを特徴とする請求項１記載のＮＭＲプローブヘッド。
【請求項４】
Ｎ個の放射シールド（９）が前記ＲＦ受信コイル装置（１）と前記室温パイプ（４）との間に半径方向の配列で配置され、Ｎ ≧ ２であり、前記Ｎ個の放射シールド（９）は、半径方向において互いに離間しており、互いに接触していないことを特徴とする請求項１〜３のいずれかの項に記載のＮＭＲプローブヘッド。
【請求項５】
前記Ｎは、５ ≦ Ｎ ≦ ２５であることを特徴とする請求項４記載のＮＭＲプローブヘッド。
【請求項６】
前記放射シールド（９）が、１０μｍ≦λ≦１００μｍの波長範囲の放射を吸収あるいは反射し、１００ｍｍ＞λの波長範囲の放射に対して透過性を有する材料から成ることを特徴とする請求項１〜５のいずれかの項に記載のＮＭＲプローブヘッド。
【請求項７】
前記放射シールド（９）は、ｚ軸方向に配向された、一方向箔、一方向織物、棒材又は繊維、ガラス繊維及び／又は石英繊維から製造され、半径方向に前記室温パイプ（４）の軸の周囲に配置されていることを特徴とする請求項１〜６のいずれかの項に記載のＮＭＲプローブヘッド。
【請求項８】
測定位置の前記試料チューブ（６）を前記室温パイプ（４）の軸を中心にセンタリングするために、センタリング手段を設け、当該センタリング手段は、前記室温パイプ（４）と前記試料チューブ（６）との間に配設され、前記室温パイプ（４）のｚ軸を中心に対称的に配分された１以上のスペーサ（１０）から成ることを特徴とする請求項１〜７のいずれかの項に記載のＮＭＲプローブヘッド。
【請求項９】
前記ＲＦ受信コイル装置（１）と前記試料チューブ（６）との間に、ｚ軸方向に延在し、半径方向に試料チューブ（６）を囲み、好ましくは、高い熱伝導性を有し、ＲＦ場に対して透過性を有する調温手段（１１）が配置されていることを特徴とする請求項１〜８のいずれかの項に記載のＮＭＲプローブヘッド。
【請求項１０】
前記調温手段（１１）は、ＲＦ場に対して５％未満の吸収性を示すことを特徴とする請求項９記載のＮＭＲプローブヘッド。
【請求項１１】
前記調温手段（１１）は、ＲＦ場に対して１％未満の吸収性を少なくとも示すことを特徴とする請求項９記載のＮＭＲプローブヘッド。
【請求項１２】
前記調温手段（１１）は、前記試料チューブ（６）を前記ＲＦ受信コイル装置（１）の軸方向領域において半径方向に囲み、１ｍｍ未満の半径方向の厚さを有し、波長範囲１００ｎｍ≦λ≦１００μｍにおける放射を吸収し、波長範囲λ＞１００ｍｍにおける放射に対して透過性を有する材料で形成された層を備えて成ることを特徴とする請求項９〜１１のいずれかの項に記載のＮＭＲプローブヘッド。
【請求項１３】
前記層は、５０μｍ未満の半径方向の厚さを有することを特徴とする請求項１２記載のＮＭＲプローブヘッド。
【発明の詳細な説明】
【０００１】
【発明の属する技術分野】
本発明は、極低温に冷却可能なＲＦ（無線周波数）受信コイル装置と、ｚ軸方向に延在してＮＭＲ測定により検査されるべき試料物質が入った試料チューブを収納する室温パイプとを備えて成るＮＭＲ（核磁気共鳴）プローブヘッドに関する。
【０００２】
【従来の技術】
この種の冷却ＮＭＲプローブヘッドは、例えば米国特許第５，２４７，２５６から公知である。
【０００３】
プローブヘッドは、高度に均質な静的Ｂ０磁場を発生させるために、磁石中に設置されるが、測定中の受信ＮＭＲ信号のＳＮ比を向上させるために、ｚ軸の周りに配置され、好適な熱交換装置と熱伝導部材を用いて動作中に、約１０〜２５Ｋの温度にまで冷却されるＲＦ受信コイルを備えて成る。ＲＦ受信コイルは、断熱上の理由で真空化領域に置かれ、その真空化領域は、主として、試料チューブを収納するためにｚ軸の周りに円筒状に配設される室温パイプが貫通するプローブヘッドの、通常金属のケースによって形成される。ＲＦ信号を試料からＲＦ受信コイルまで通過可能とするために、さもなければ金属製である室温パイプは、コイルの軸方向領域においては、ほとんどの場合ガラス製のパイプであるＲＦ透過性内部パイプによって置き換えられ、この内部パイプは空密状態で室温パイプの金属部分に接続される。
【０００４】
【発明が解決しようとする課題】
試料チューブを底部から室温パイプに挿入した後、下から室温パイプを通って流れる暖気を用いて所望の温度（通常約３００Ｋ）に略維持して試料物質の温度を制御する。しかし、これによって、測定用試料がＮＭＲ共鳴器の１０〜２５Ｋに冷却されたかなり冷たい周囲を“感じ”て、熱をこの方向に放射する。この失われた熱は、押し寄せる暖気の流れにより連続的に補充されて、測定用試料が略所望の温度に確実に維持されねばならない。そのため、軸方向及び半径方向の温度勾配が、測定試料に生じ、ＮＭＲ測定を大きく損なう。
【０００５】
したがって、本発明の課題は、上記の特徴を備え、ＮＭＲ測定を損なうことなくｚ軸方向の温度勾配がかなり低減された冷却ＮＭＲプローブヘッドを提供することである。
【０００６】
【課題を解決するための手段】
この課題は、本発明により、ＲＦ受信コイル装置と室温パイプとの間に、半径方向に室温パイプを囲み、ｚ軸方向に延在する少なくとも一つの放射シールドであって、ＲＦ場に対してほとんど完全な透過性を有し、しかし、ＲＦ場に対して５％未満の、好ましくは１％未満の吸収性を少なくとも有するｚ軸方向に配向された１以上の材料から成る放射シールドを設けることによって、驚くほど簡単かつ有効に、達成される。
【０００７】
交換可能な試料チューブに加えて、本発明のＮＭＲプローブヘッドは、いわゆるフロースルーヘッドを含み、当該フロースルーヘッドにおいては、試料チューブが固定して設置され、検査されるべき流体が一方側（底部側）の狭い導管を通じて導入され、他方側（頂部側）から導出される。この種のプローブヘッドは、連続的な流路において用いていもよく、また、（より長い測定期間のために）フロー・アンド・ストップモードで用いてもよい。これらのプローブヘッドは、試料の急速な導入や、液体クロマトグラフィー分離セルにしたがった重要な分析工程のために用いられる。前者は、フロースループローブヘッドと呼ばれ、後者は、ＬＣ−ＮＭＲカップリングと呼ばれる。この種のプローブヘッドは、ＬＣ（液体クロマトグラフィー、特にＨＰＬＣ（高圧液体クロマトグラフィー））ヘッドとも呼ばれる。この種のプローブヘッドは、特に極低温技術の便益を受けることができ、また本発明に係るさまざまな態様の便益も受けることができる。
【０００８】
極低温技術は、先般来、熱放射による損失を小さくするために放射シールドを用いてきたが、この方法は、冷却ＮＭＲプローブヘッドには直接応用できない。なぜならば、熱放射を反射する通常金属製の放射シールドは、測定試料からＲＦ受信コイルへのＲＦ場の伝搬を完全に阻止するか又は少なくとも強く損なって、入力されるＮＭＲ信号が少なくとも大きく減衰され、歪められあるいは完全に利用不能となるからである。
【０００９】
本発明による課題の解決にしたがって、ＲＦコイルと室温パイプとの間の真空に設けられる放射シールドは、ただ単にｚ軸方向に配向された材料から成る。放射シールド材の軸方向の配向によって、その限定された感受性がＮＭＲ信号の解像度を損なうのを防止する。他方、当該放射シールド材の物理的性質は、ラジオ周波数放射の領域においては、できるだけ大きな透明性を持つべきである。ほとんどの場合、この材料特性は、失われた熱の測定試料側への戻り反射があまり大きくないというそれに関連した不利を有する。
【００１０】
本発明の一態様においては、Ｎ個の放射シールドがＲＦ受信コイル装置と室温パイプとの間に半径方向の配列で配置され、Ｎ  ≧  ２、好ましくは、５  ≦  Ｎ  ≦  ２５であることが特に好ましい。半径方向に前後に配置される複数の本発明の放射シールドによって、下記に詳細に示すように、熱放射の反射性を全く持たない（即ち、「黒い」）材料の場合にも、実質的な放射バリヤーの形成により測定試料からの熱損失をかなり低減することが可能になる。ＲＦ受信コイル装置と室温パイプの真空側との間の真空において得られる空間は、極めて限られているので、実際上、半径方向の配列として使用可能な放射シールとの数Ｎは、限られている。Ｎ個の放射シールドが半径方向において互いに最小限離れており、互いに接触していないか、せいぜい、点で、あるいは線で接触していて、熱的な「短絡」に至るであろう半径方向の個々の放射シールド間の直接の熱伝導を防止するのが有利である。放射シールド間のたまにおきる接触は、特に選ばれた材料の熱伝導性が非常に低い場合は、大きな問題ではない。個々の接触ポイント又は線が、互いに十分間隔が空けられている限り、半径方向に配された放射シールドの全体の熱伝導は、本発明の目的からはほとんど無視してよい。
【００１１】
ＮＭＲ測定の感受性の低下を防止するために、ＲＦ受信コイルと測定試料間の間隔は大きくするべきではないので、個々の放射シールドはできるだけ薄くするべきである。したがって、放射シールドは、半径方向の厚さが０．１ｍｍ未満、好ましくは、５０μｍ未満であるべきである。
【００１２】
ＮＭＲプローブヘッドの本発明に係る別の態様においては、１０μｍ≦λ≦１００μｍの波長範囲の放射を反射あるいは少なくとも吸収し、１００ｍｍ＞λの波長範囲の放射に対して透過性を有する材料から、放射シールドが構成されていることが特に好ましい。前者の波長範囲は、測定試料と冷却されたＮＭＲコイル間の温度差に対応する約２０Ｋ〜３００Ｋの間の温度での熱放射に対応する。後者の波長範囲は、３ＧＨｚより低い周波数の放射に対応し、その場合、ＮＭＲ測定に対して重要なＲＦ範囲は、数ＭＨｚと約１ＧＨｚ弱との間にある。
【００１３】
考慮されるＲＦ範囲においてほとんど吸収による損失がなく、他方上記の熱放射範囲において透過性を有しない最適の材料は、例えば、ガラス又は石英である。
【００１４】
本発明に係るＮＭＲプローブヘッドの放射シールドは、理論的には、室温パイプを同軸に囲むチューブとして構成可能である。しかし、チューブ材は、通常厚みが大きすぎるであろう。
【００１５】
放射シールドは、また、一方向箔から構成することもできるが、その製造及び処理は比較的困難である。ｚ軸方向に沿う箔の配向は、例えば、機械的な引張応力を加えることにより実現することができる。
【００１６】
それに対して、ある態様においては、放射シールドが一方向織物から製造されていることが好ましい。
【００１７】
対応する好適な材料から成るこの種の一方向織物は、市販されている。
【００１８】
これらの織物は、繊維マットから成るのが好ましくは、特に、直径１０μｍ未満、及び全体の厚さが約３０μｍの繊維から製造された繊維ガラスマットから成るのが好ましい。そのような繊維ガラスマットを用いるときは、個々の円筒状の放射シールドの半径方向の配列を設ける代わりに、室温パイプの周りにその真空側に螺旋状に数層に繊維ガラスマットを巻くことが好適であろう。
【００１９】
さらに特に好ましい態様においては、放射シールドは、ｚ軸方向に配向された棒材又は繊維、好ましくは、ガラス繊維及び／又は石英繊維から成り、半径方向に室温パイプの軸の周囲に配置される。この種の繊維は、直径１０〜５０μｍのものが利用可能である。５μｍ未満の直径を有するガラス製のフィラメントも利用可能であるが、これは多分加工するのが困難である。
【００２０】
さらに好適な態様においては、放射シールドは、個別のフィラメントよりやや高い全体的な機械的安定性を有する繊維の束から成り、したがってより加工しやすく、棒材に類似している。
【００２１】
本発明の各態様においては、棒材又は繊維は、空間的に支持されない状態で配置して、その端部においてのみ固定してよい。
【００２２】
あるいは、棒材又は繊維は、室温パイプに対して同軸に配置された支持パイプに、好ましくは、ＲＦ受信コイル装置に面する室温パイプの側に取り付けてよい。
【００２３】
好ましいさらに発展した態様においては、棒材又は繊維は、接着による測定用試料からＲＦ受信コイルへのＲＦ放射の減衰を防止するために、ＲＦ放射に対して透過性の接着剤を用いて支持パイプ又は室温パイプに取り付けられる。
【００２４】
さらに他の有利な態様においては、棒材又は繊維は、室温パイプの周りに周辺方向に密集して詰められ、半径方向に「見た」ときの目視可能な隙間がないようにする。このようにして、棒材又は繊維は、各々周辺方向に結合された放射シールドを形成する。
【００２５】
本発明に係るＮＭＲプローブヘッドのある態様においては、測定位置の試料チューブを室温パイプの軸を中心にセンタリングするためにセンタリング手段を配することが特に好ましい。冷却ＮＭＲプローブヘッドの作動中に生じうる、ｚ軸に対して半径方向に延在する横方向の温度勾配は、単位面積あたりの熱損失と、調温用ガスの質量流量の逆数と、試料チューブ軸の室温パイプのｚ軸からの変位又は角偏差を含む対称係数の積として与えられる。この対称性は、全体の積における係数として現れるので、室温パイプ内における測定用試料の僅かな傾きでも調温用の流れに対してかなりの効果を有する。したがって、提案されたセンタリング手段を用いて、温度勾配をさらにかなり低減して、ＮＭＲ信号の品質を改善することが可能である。
【００２６】
特に簡単に実現できる更なる発展した態様においては、センタリング手段は、室温パイプと試料チューブとの間に配設され、室温パイプのｚ軸を中心に対称に配分された１以上のスペーサから成る。
【００２７】
これらのスペーサは、測定位置の試料チューブの底部の領域に、及び／又は、試料チューブに面する室温パイプの側の室温パイプの装入開口部の領域に配設してもよい。あるいは、これらのスペーサは、ＲＦ受信コイル装置の軸方向全長に亘り延在してもよい。
【００２８】
さらに発展した態様においては、スペーサは、測定位置の試料チューブとは反対側を向いたその各端部において室温パイプと剛固に接続され、その測定位置の試料チューブに向くその各端部は、試料チューブに向って膨れたビードを有し、その自由な脚部は、室温パイプに着座している、ｚ軸方向に延在する弾性を有する複数の細長い細片から成る。
【００２９】
ＮＭＲ測定の外乱を防止するために、スペーサは、ＲＦ放射に対して透過性の材料から製造されるべきである。
【００３０】
好ましい別の態様においては、スペーサは、約１００μｍの厚さとｚ軸を横断する約０．５ｍｍ〜２ｍｍ、好ましくは約１ｍｍの幅を有するシート状金属片から成る。
【００３１】
本発明に係るＮＭＲプローブヘッドの特に好ましい態様においては、半径方向に試料チューブを囲み、ｚ軸方向に延在し、良好な熱伝導性を有し、ＲＦ場に対してほとんど完全な透過性を有し、ＲＦ場に対して５％未満、好ましくは１％未満の吸収率を少なくとも有する調温手段が、ＲＦ受信コイル装置と試料チューブとの間に、配置される。
【００３２】
これにより、熱が測定用試料から放散すること、したがって不均一な冷却を、受信されるＮＭＲ信号を大きく損なうことなく防止することができる。そのような調温手段が試料チューブの周囲の加熱された空気流に対して有する利点は、熱効率が試料チューブの全軸長に亘り均一に作用し得るという点である。それにより、中心領域は、縁部領域と同じくらい良く調温され、効果的に軸方向の温度勾配を防止する。
【００３３】
これに対して、従来の加熱された空気流は、本発明に係る加熱手段がない場合、通常試料チューブの下端部側から室温パイプに入り、この場所で試料チューブの加熱を開始し、軸方向に上昇する間冷却されつづける。試料チューブの上側の領域における加熱された空気流の温度は、したがって、常に、下側の領域よりも低いであろうし、それにより必然的に試料チューブの上側領域の調温効率を低下させる。その結果、常に、軸方向の温度勾配が生じ、この温度勾配は、単位時間あたりの空気の量を増大させることにより幾分低減できるが、原理的に防止することが不可能である。のみならず、この対応策も大いに制限されている。なぜならば、もし単位時間あたりの空気の量が大きすぎれば、試料チューブを振動の影響なしに位置決めしたり、しかるべく回転させたりすることは、もはや保証できなくなるからである。
【００３４】
この態様の可能な別の発展した形態においては、調温手段は、１ｍｍ未満、好ましくは、５０μｍ未満の半径方向の厚さを有し、試料チューブをＲＦ受信コイル装置の軸方向領域において半径方向に囲み、波長範囲１００ｎｍ≦λ≦１００μｍにおける放射を少なくとも部分的に吸収し、波長範囲λ＞１００ｍｍにおける放射に対して透過性を有する材料で形成された層を備えて成る。
【００３５】
この層の均一な加熱のために、本発明に係るＮＭＲプローブヘッドは、加熱手段を備えることが好ましい。
【００３６】
好ましい別の発展形態においては、加熱手段は、この層に波長範囲１００ｎｍ≦λ≦１００μｍの放射、特に熱放射を照射する装置を備え、この装置は、ＲＦ受信コイル装置に面する室温パイプの側部に配置されることが好ましい。
【００３７】
すでに室温パイプを構成するのに使用可能な多くの材料が、所望の波長範囲において、吸収を行うので、上記照射を用いた加熱は特別な放射吸収層を必要としない。
【００３８】
放射吸収加熱層は、大きな領域で室温パイプを囲んでよい。あるいは、この層は、周辺方向に互いに離隔して配置された軸方向に延在する細片として室温パイプの周囲に配してもよい。
【００３９】
他の発展態様としては、上記層が導電性を有し、電圧の印加により加熱可能であることが特に好ましい。
【００４０】
それに代わり、あるいは、それに加えて、更なる態様においては、調温手段は、各々往復導体を備えて成り、良好な伝導特性を有する、薄い、特に層状の材料の１以上の加熱コイルから成る。各加熱コイルの往復導体は、互いに電気的に一端で接続され、他端で電流源から加熱電流を供給されることが可能である。
【００４１】
特に好ましい態様においては、加熱コイルの往復導体は、電流が流れている間の外乱性磁場の発生をできるだけ少なくするために、互いにできるだけ小さな間隔でバイファイラ巻き状に配置される。
【００４２】
なお、加熱コイルの往復導体は、絶縁層又は絶縁細片により互いに電気的に絶縁されて重ねて配置された２つの長手の細片から成るのが有利である。
【００４３】
さらに好ましい別の態様においては、加熱コイルの往復導体は、異なる磁化感受率を有する材料であって、各加熱コイル全体が外部に向かって磁気的に補償されるように選択される材料から製造されることが好ましい。
【００４４】
調温手段は、１以上の加熱コイルが室温パイプの周囲に螺旋状に配置されるように幾何学的に設計することができる。
【００４５】
代わりに、数個の、好ましくは少なくとも８個のｚ軸と平行に延在する加熱コイルを、室温パイプのｚ軸の周りに周辺方向に互いに離隔させて配することも可能である。
【００４６】
有利なのは、加熱コイルの空間的な向きが、加熱コイルがＲＦ受信コイル装置と最小結合されるような向きであることである。
【００４７】
できるだけ良好な導電性を示す材料（例えば銅）を有する加熱コイルが好ましく、その場合、導体は、四角形（正方形でもよい）又は円形の断面（一般に、１０μｍｘ１０μｍ以下の大きさ）を有する。結果として全体として非常に小さい表面を覆うので、室温パイプは、ＲＦ場に対して良好な透過性を維持し、ＲＦ損失も、加熱導体の表面が小さいことと良好な電気的（したがってＲＦ）伝導性の両方により非常に低い。
【００４８】
上記態様のさらに別の発展態様においては、電流源と加熱コイルとの間にローパスフィルタを設けて信号ひずみや残留減衰量を最小化してもよい。
【００４９】
別の発展態様においては、電流源と加熱コイルとの間に、共鳴周波数がＮＭＲ測定に関連するもっとも感受性の高いＲＦ周波数である並列共振回路を設けることも好ましい。そのような除波回路も、外乱信号のＲＦ受信コイルへの伝達を防止し、加熱コイルを介してのＲＦ信号の不要な結合による消失（ｃｏｕｐｌｉｎｇ−ｏｕｔ）を最小化することができる。
【００５０】
別の態様においては、電流源は、静磁場における更なる外乱をできるだけ小さく保つために、加熱コイルに交流を供給するのが有利である。角周波数は、それにより、発生する側波帯がすべて観察されるＮＭＲスペクトル窓の外部にあるように選択される。
【００５１】
本発明の他の有利な態様は、本発明の説明及び図面から抽出することができる。上述の及びこれから述べる特徴は、本発明にしたがい、個別に又はまとめて、いかなる任意の組み合わせにおいても用いることが可能である。図示し、説明した態様は、網羅的な列挙としててではなく、むしろ本発明を説明するための例示としての性格を有すると理解されるべきである。
【００５２】
【発明の実施の形態】
本発明を添付の図面を参照してその実施の形態により、より詳細に説明する。
【００５３】
模式的に図１に示されたＮＭＲプローブヘッドは、軸方向に延在する室温パイプ４の周囲にｚ軸を中心に対称的に配されたＲＦ受信コイル装置１を備えて成る。室温パイプ４は、ＮＭＲ測定により検査されるべき試料物質７を入れた試料チューブ６を収納する役目を果たす。
【００５４】
ＲＦ受信コイル装置１は、熱伝導体２に装着されるが、この熱伝導体２は、ＲＦ受信コイル装置１を極低温、通常は、Ｔ１≒２５Ｋに冷却する役目を果たす。
【００５５】
室温パイプ４の上部及び下部は、ＮＭＲプローブヘッドのケーシング３に接続されるが、その中心部は、ＲＦ場に対して透過性の内部パイプ５（主としてガラス製）から成る。試料チューブ６は、室温パイプ４内部に軸方向に突出し、ガス流８により測定中所望の温度に維持される。ガス流は、室温Ｔ２≒３００Ｋに略調温される。
【００５６】
図１及び図２に明確に示されるように、受信コイル装置１と室温パイプ４との間に、室温パイプ４を半径方向に囲み、ｚ軸方向に延在する幾つかの放射シールド９が配置されている。放射シールド９は、ｚ軸方向に配向され、ＲＦ場に対してほとんど完全な透過性を有する材料で作られている。放射シールド９は、図２に明瞭に示されるように、半径方向に互いに分離され、互いに接触してないか、せいぜい点接触あるいは線接触する程度である。それらは、０．１ｍｍ未満、好ましくは、５０μｍ未満の半径方向厚さを有する。放射シールド９は、好ましくは、ガラス又は石英から製造される。
【００５７】
本発明で必要とされる材料のｚ軸方向の配向を得るために、放射シールド９は、一方向箔、一方向織物、特に繊維ガラスマット、又は軸方向に延びる棒材もしくは繊維、好ましくはガラスもしくは石英繊維又は繊維束から形成してよい。
【００５８】
放射シールド９は、空間内に支持されない状態で配置してその端部でのみ取り付けるようにしてよく、あるいは、実施の形態のように室温パイプ４に取り付けてもよい。
【００５９】
本発明の装置の動作を以下に説明する。
【００６０】
図３は、従来のＮＭＲプローブヘッドの断面を示し、放射性の熱流Ｑは、試料チューブ６から半径方向にＲＦ受信コイル装置１の方に通る。なぜならば、受信コイル装置１は、約２５Ｋの極低温に維持され、試料チューブ６は、下方から供給される調温された空気流８を用いて略室温に維持されるべきであるからである。試料チューブ６からの熱放射は、調温流８により供給される熱を考慮に入れると、図３の右側に模式的に示すように、試料チューブ６内で軸方向の温度依存性を有することになる。
【００６１】
試料物質７内の比較的高い温度勾配は、しばしば、記録されるＮＭＲスペクトルに好ましくない劣化をもたらす。化学シフトの温度依存性のため、線幅が大きくなり、２つの物質の同時シミング（ｓｈｉｍｍｉｎｇ）を妨げることがある。この効果は、水の場合特に顕著である。
【００６２】
また、もし温度勾配が臨界値を超えると対流効果も生じうる。その結果としての変動は、シミング及びＮＭＲ実験の最中の安定性をかなり損なうことがある。ｚ軸方向の温度勾配に加えて、もし、試料チューブ６が室温パイプ４の中央に正確に位置決めされなければ、図４ａの水平断面図に模式的に示すように、横方向の勾配も発生し得る。
【００６３】
左（Ｌ）側と右（Ｒ）側との間の異なる流れ抵抗の結果として生じる互いに異なる質量流量により、いずれの側にも異なる長手方向勾配が生じ、横方向温度勾配をもたらすが、これは、図４ｂに示すように頂部に行くほどはっきりする。示された３つの温度依存性のうち、中央のものは、対称的な場合を示す。
【００６４】
この勾配は、さらに、図５ａに模式的に示されるように、通常液体である試料物質７中における対流の形成を促進する。ｚ軸方向の関連する温度依存性を図５ｂに示す。右側（＝Ｒ）の温度依存性はそのため左側（＝Ｌ）の温度依存性かなり相違することがある。
【００６５】
この効果を打ち消すには、室温パイプ４の中心部５を良好な熱伝導性を有する材料から製造し、それによって横方向の温度勾配（ｘ−ｙ方向）をかなり低減することである。しかし、無視できるほど小さいＲＦ放射吸収性を有し、また、必要な高い熱伝導性も示す材料のみが使用可能である。具体例は、サファイヤである。
【００６６】
図６は、低い熱伝導性（破線）と高い熱伝導性（実線）での室温パイプ４、特に内部パイプ５の場合の状況を示す。ｚ軸に沿う温度依存性は、それによってほとんど影響されることはありえない（その２つの極値の平均であること以外）。
【００６７】
試料チューブ６の上部の取り付け点直前の温度依存性のみが改善可能である。図７に示す室温パイプ４の良好な熱伝導性の内部についてのｚ軸方向の温度依存性の模式図に示されるように室温パイプ４に単に熱伝導対策を施すだけではリニアな温度勾配を除去することはできない。
【００６８】
さらに試料チューブ４と冷却されたＲＦ受信コイル装置１間の熱放射の流れを調べるために、図８ａに温度Ｔ１の表面Ｆ１と温度Ｔ２の対向する面Ｆ２間の放射性能を模式的に示す。表面Ｆ１から表面Ｆ２への放射パワーは、
Ｑ１２＝ＡｘσｘＴ１４ｘε
であり、反対方向への放射パワーは、
Ｑ２１＝ＡｘσｘＴ２４ｘε
である。
【００６９】
式中、Ａは、放射面の大きさであり、σは、比熱流（約５．７７ｘ１０−８Ｗ／ｍ２Ｋ４）であり、εは、放射係数であって、０と１の間である。衝突する放射を反射できない２つの完全に黒い物体の場合、ε＝１である。
【００７０】
ε＝１を有する表面Ｆ２での正味の冷却パワーＱ２は、
Ｑ２＝Ｑ２１−Ｑ１２＝Ａｘσｘ（Ｔ２４−Ｔ１４）
である。
【００７１】
２つの表面Ｆ１及びＦ２と直接の熱的接触を持たない黒い放射シールドＦ３をその２つの表面Ｆ１及びＦ２の間に導入する場合、図８ｂに示すように平衡化温度Ｔ３が放射場によりそこに生じる。
【００７２】
もし異なる表面の温度がＴ４目盛りで描かれると、両面間の熱流は、相違離隔度Δ（Ｔ４）に比例する。このことは、単に２つの表面がある図８ａに示された場合についての図９ａと両面の間に１つの放射シールドを置いた図８ｂの場合についての図９ｂに示される。放射シールドＦ３の温度Ｔ３の平衡条件としては、表面Ｆ２と表面Ｆ３との間の正味の熱流Ｑ’２３と放射シールドＦ３と表面Ｆ１との間の正味の熱流Ｑ’３１が等しいことである。
【００７３】
２つの表面Ｆ１とＦ２との間に放射シールドＦ３を介在させることにより、温度差Δ（Ｔ２４−Ｔ３４）＝Δ（Ｔ３４−Ｔ１４）が図９ａの温度差Δ（Ｔ２４−Ｔ１４）の値の半分になった。なぜならば
Ｑ’２３＝Ｑ’３１＝０．５ｘＱ２１
であるからである。
【００７４】
図９ｃは、図９ｂを、本発明により、ｚ軸に対して半径方向に前後して配置されたＮ個の放射シールドについて一般化した状況を示す。
【００７５】
図９ｂと類比的に、次のことが一般に成り立つ：
Ｑ２Ｎ＝（Ｎ＋１）−１ｘＱ２１
このことは、Ｎ個の黒い放射シールドが用いられた場合、表面Ｆ２よって発散される正味の放射パワーは、（Ｎ＋１）−１に低減されることを意味する。
【００７６】
本発明の放射シールド９の使用は、ＮＭＲ測定の適用のための基本的な必要条件が満たされることを前提とする。即ち、静磁場Ｂ０の均質性が損なわれてはならないことである。ｚ軸方向に変化する磁気的特性を有するすべての磁気的対象物は、Ｂ０場の潜在的外乱の原因となる。
【００７７】
そのような磁場の外乱は、磁化率χ＞０を有する物質の使用と関連するが、図１０ａに模式的に示されている。磁気擾乱は、ある空間領域中の均一な磁場の磁力線のゆがみを引き起こす。
【００７８】
図１０ｂは、本発明による状況を模式的に示し、図中、放射シールド９は、Ｂ０場に沿ってｚ軸方向に延び、それにより測定試料７の決定的な領域における磁化率χ＞０にも関わらず、磁場の外乱を引き起こさない。
【００７９】
図１１ａ及び１１ｂは、本発明のＮＭＲプローブヘッドの好適な実施の形態を示し、図示された実施の形態においてはｚ軸の周りに対称的に配置された４つのスペーサ１０を有するセンタリング手段を備えて成る。室温パイプ４内において試料チューブ６に対して施された適切なセンタリングは、対流を防止し、したがって上述のように、試料物質７内における温度勾配の形成を防止する。
【００８０】
図１２は、最後に、室温パイプ４の内部パイプ５の軸方向領域において調温手段を有する本発明のＮＭＲプローブヘッドの縦断面略図とｚ軸に沿う関連する温度依存性を示す。調温手段１１は、例えば、加熱手段１９用いた内部パイプ５の領域における室温パイプ４上の対応する面の電熱及び／又は放射熱により実現することができる。図の右側に示すｚ軸に沿う温度依存性は、調温手段がない場合（実線）と調節された調温手段を有する場合（破線）の状況を示し、後者の場合、全ｚ軸に亘りほとんど一定の温度が観察できる。
【００８１】
【発明の効果】
以上説明したように、本発明によれば、極低温に冷却可能なＲＦ（無線周波数）受信コイル装置（１）と、ｚ軸方向に延在してＮＭＲ測定により検査されるべき試料物質が入った試料チューブ（６）を収納する室温パイプ（４）とを備えて成るＮＭＲ（核磁気共鳴）プローブヘッドにおいて、前記ＲＦ受信コイル装置（１）と前記室温パイプ（４）との間に、ｚ軸方向に延在し、半径方向に前記室温パイプ（４）を囲む少なくとも一つの放射シールド（９）であって、ＲＦ場に対してほとんど完全な透過性を有し、又はＲＦ場に対して５％未満の、好ましくは１％未満の吸収性を少なくとも示すｚ軸方向に配向された１以上の材料から製造された放射シールド（９）を配置するようにしたので、ＮＭＲ測定を損なうことなく、ｚ軸方向の温度勾配をかなり低減することができる。
【図面の簡単な説明】
【図１】本発明に係るＮＭＲプローブヘッドのＲＦ受信コイル装置の領域における、ｚ軸に沿う縦断面略図である。
【図２】本発明に係るＮＭＲプローブヘッドをＲＦ受信コイル装置の軸領域における、水平断面略図である。
【図３】ｚ軸方向の関連した温度依存性とともに示す従来技術の冷却ＮＭＲプローブヘッドの縦断面略図である。
【図４】図４ａは、室温パイプに非対称的に導入された試料チューブを有する装置の水平断面略図であり、図４ｂは、図４ａに係る装置に関連したｚ軸方向の温度分布を示す略図である。
【図５】図５ａは、室温パイプを、非対称的に導入された試料チューブと測定試料内に示される対流とともに示す縦断面略図であり、図５ｂは、図５ａの装置の左右の側のｚ軸方向の関連する温度依存性を示す略図である。
【図６】試料チューブが非対称的に室温パイプに導入され、ＲＦ受信コイルの領域にある室温パイプの内側が良好な熱伝導性を有する場合の、ｚ軸方向の調温ガスへの温度依存性を示す略図である。
【図７】室温パイプの内側が良好な熱伝導性を有する場合の、ｚ軸方向の温度依存性を示す略図である。
【図８】図８ａは、温度Ｔ１の表面と温度Ｔ２の第２の表面との間の放射による熱の流れを表した略図であり、図８ｂは、図８ａに対応し、しかし、上記２つの表面間に温度Ｔ３の１つの放射シールドを有する場合の略図である。
【図９】図９ａは、Ｔ４目盛り上での図８ａに係る表面間の熱の流れを示す図であり、図９ｂは、Ｔ４縮尺上での図８ｂに係る装置の状況を示す図であり、図９ｃは、図９ｂに対応し、しかし、１つではなく、４つの介在放射シールドを有する場合の図である。
【図１０】図１０ａは、磁気感受性＞０を有する材料により生じる磁気的外乱を表した略図であり、図１０ｂは、図１０ａに対応し、しかし、磁場に沿うｚ軸方向に延びる対象を有する場合の略図である。
【図１１】図１１ａは、センタリング手段を備える本発明の装置の縦断面略図であり、図１１ｂは、図１１ａに係る装置の水平断面図である。
【図１２】図１２は、調温手段を有する本発明の装置の縦断面略図をｚ軸方向の関連する温度依存性とともに示す図である。
【符号の説明】
１  受信コイル装置
４  室温パイプ
６  試料チューブ
８  ガス流
９  放射シールド
【図１】
0003573449.tif 000002
【図２】
0003573449.tif 000003
【図３】
0003573449.tif 000004
【図４】
0003573449.tif 000005
【図５】
0003573449.tif 000006
【図６】
0003573449.tif 000007
【図７】
0003573449.tif 000008
【図８】
0003573449.tif 000009
【図９】
0003573449.tif 000010
【図１０】
0003573449.tif 000011
【図１１】
0003573449.tif 000012
【図１２】
0003573449.tif 000013